(57)【特許請求の範囲】
【請求項１】
４０〜８０重量％の少なくとも１種の不揮発性水添ポリアルキレン油、及び
１０〜５０重量％の、以下の式（Ｉ）の、少なくとも１種の第三級アミド末端ポリアミド（ＡＴＰＡ）ポリマー
【化１】
0005863262.tif 000004
［式中、
ｎは、式（Ｉ）に存在する単位の数を示す整数であり、ｎは１〜１０、
Ｒ１基は、同一でも異なっていてもよく、１〜２２個の炭素原子を含有する炭化水素系基を示し、
Ｒ２基は、各出現時に同一でも異なっていてもよく、２〜４２個の炭素原子を含有する炭化水素系基を示すが、但しＲ２基の少なくとも５０％が３０〜４２個の炭素原子を有する。］
を含む組成物であって、
前記の組成物は、少なくとも１つの遊離ヒドロキシル基を含む少なくとも１種の脂肪酸エステル、及び
１〜１５重量％の、８〜３０個の炭素原子を含有する室温で固体の脂肪アルコールを１種又は複数、
を更に含む、組成物。
【請求項２】
前記組成物の５〜２０重量％の前記脂肪酸エステルを含む、請求項１に記載の組成物。
【請求項３】
前記組成物の１５〜５０重量％の前記ＡＴＰＡポリマーを含む、請求項１に記載の組成物。
【請求項４】
ＡＴＰＡポリマーが式（Ｉ）のポリマーであり、式中、Ｒ１が１４〜２２個の炭素原子、ｎが２〜５の範囲であってもよい整数であり、Ｒ２が４〜４２個の炭素原子を含有するが、但しＲ２基の少なくとも５０％が３０〜４２個の炭素原子を有し、Ｒ２が飽和である又は１つ若しくは複数の不飽和結合を含む、請求項１に記載の組成物。
【請求項５】
ＡＴＰＡポリマーがビスジＣ１４〜１８アルキルアミド（エチレンジアミン／水添ダイマージリノール酸）コポリマーである、請求項１に記載の組成物。
【請求項６】
ＡＴＰＡポリマーが（ダイマージリノール酸ビスジオクタデシルアミド／エチレンジアミン）コポリマーである、請求項１に記載の組成物。
【請求項７】
実質上、無水である、請求項１に記載の組成物。
【請求項８】
少なくとも１種の遊離ヒドロキシル基を含む脂肪酸エステルが、［脂肪酸エステル］／［ＡＴＰＡポリマー］重量比が１／４〜４／１の範囲内に含まれるようになる量で組成物中に存在する、請求項１に記載の組成物。
【請求項９】
脂肪酸エステルがヒドロキシステアリン酸エステルである、請求項１に記載の組成物。
【請求項１０】
脂肪酸エステルがヒドロキシステアリン酸エチルヘキシルである、請求項１に記載の組成物。
【請求項１１】
不揮発性水添ポリアルキレン油が、水添ポリイソブテンである請求項１に記載の組成物。
【請求項１２】
不揮発性水添ポリアルキレン油が、［不揮発性水添ポリアルキレン油］／［ＡＴＰＡポリマー］重量比が５／１〜３／２の範囲内に含まれるようになる量で組成物中に存在する、請求項１に記載の組成物。
【請求項１３】
１５〜５０重量％の式（Ｉ）のＡＴＰＡポリマー、
４０〜８０重量％の不揮発性水添ポリアルキレン油、
５〜２０重量％のヒドロキシステアリン酸エチルヘキシル、
１〜１５重量％の、室温で固体の脂肪アルコール、を含み、
０〜５重量％のグルタミド由来のゲル化剤、
０〜１５重量％のスチレンコポリマー
を含んでいてもよい、請求項１に記載の組成物。
【請求項１４】
１５〜５０重量％の、（ダイマージリノール酸ビスジオクタデシルアミド／エチレンジアミン）コポリマーという名称のＡＴＰＡポリマー、
４０〜８０重量％の水添ポリイソブテン、
５〜２０重量％のヒドロキシステアリン酸エチルヘキシル、
１〜１５重量％のセチルアルコール、を含み、
０〜５重量％のジブチルラウロイルグルタミド、
０〜１５重量％の水添（スチレン／メチルスチレン／インデン）コポリマー
を含んでいてもよい、請求項１に記載の組成物。
【請求項１５】
半透明又は透明な請求項１に記載の組成物。
【請求項１６】
透明のリップケアバームである形態の、請求項１４に記載の組成物。
【請求項１７】
少なくとも１種の顔料を含む又は少なくとも１種の顔料からなる少なくとも１種の着色剤を更に含み、前記着色剤が組成物の最大４０重量％で存在する、請求項１５に記載の組成物。
【請求項１８】
前記着色剤が組成物の１０〜３５重量％の範囲である、請求項１７に記載の組成物。
【請求項１９】
少なくとも１種の顔料、少なくとも１種の充填剤、及び任意のこれらの混合物から選択される粉末混合物からなる少なくとも１種の着色剤を含む、請求項１７に記載の組成物。
【請求項２０】
顔料が無機顔料、有機顔料及び真珠光沢顔料から選択される、請求項１７又は１８に記載の組成物。
【請求項２１】
保湿剤、湿潤剤、老化防止剤、抗菌剤、紫外線から保護するスクリーニング剤、及び任意のこれらの混合物からなる群から選択される１種又は複数の化粧用又は医薬用活性剤を
更に含む、請求項１５に記載の組成物。
【請求項２２】
防腐剤、酸化防止剤、香料、界面活性剤、レオロジー剤及び任意のこれらの混合物から選択される１種又は複数の賦形剤を更に含む、請求項１５に記載の組成物。
【発明の詳細な説明】
【発明の詳細な説明】
【０００１】
本発明は、透明又は半透明の基剤及び着色剤を含んでいてもよい、特にケア又はメーキャップ向けの化粧品又は医薬組成物、前記組成物の調製方法、並びに前記組成物を使用する化粧方法に関する。
【従来の技術】
【０００２】
特に唇のメーキャップをするための、透明又は半透明の化粧品組成物の調製を可能にするポリアミドポリマーは、既知である。これらの組成物は、着色していてもよい。
【０００３】
例えば、このような組成物を得ることができる、例えばエステル末端ポリアミドコポリマー（ＥＴＰＡ）又は第三級アミド末端ポリアミドコポリマー（ＡＴＰＡ）が、知られている。
【０００４】
国際公開第０１／９７５５８号パンフレットは、エステル末端ポリアミド（ＥＴＰＡ）を開示している。
【０００５】
Ｇｒｉｆｆｉｎは、ＩＰ．ＣＯＭ  ＪＯＵＲＮＡＬ  ＩＰ．ＣＯＭ  ＩＮＣ（Ｗｅｓｔ
Ｈｅｎｒｉｅｔｔａ、ニューヨーク州、米国）において、米国社Ａｒｉｚｏｎａ  Ｃｈｅｍｉｃａｌからシルバクリア（ＳＹＬＶＡ  ＣＬＥＡＲ）（登録商標）の商品名で販売されている、ＰＡＯＰＡタイプのポリアミドゲル化剤を用いて化粧品として処方されたパーソナルケア製品の配合を開示している。
【０００６】
米国社Ａｒｉｚｏｎａ  Ｃｈｅｍｉｃａｌは、第三級アミド末端ポリアミドコポリマー（ＡＴＰＡ）も、シルバクリア（登録商標）の商品名で販売している。
【０００７】
第三級アミド末端ポリアミド（ＡＴＰＡ）ポリマー、及び化粧品業界におけるその使用は、それ自体が既知であり、特に欧州特許第１２７９３９７号、欧州特許出願公開第１４１４８８６号、欧州特許第１９０５４１１号、欧州特許第２１５６８２１号、米国特許出願公開第２００３／０２２３９４３号、米国特許出願公開第２００９／０２８００７７号、米国特許第６４６９１３１号、米国特許第６５９２８５７号、米国特許第６５５２１６０号、米国特許第６２６８４６６号及び米国特許第６５０３５２２号に記載されており、その内容は参照の目的で本発明に含まれている。
【０００８】
その上、米国特許第７２７６５４７号及び米国特許出願公開第２００５／０１９１３２７号には、それぞれ、口紅タイプの無水スティックの調製のための、脂肪液相、第１ポリマー及び第２ポリマーを含む化粧品組成物について記載されている。これらの組成物は、半透明（「クリア」）であってもよく、例として脂溶性エステルなど、例えば脂肪液相など様々な種類の化合物を含んでいてもよい。
【０００９】
しかし、これらの実施例のいくつかに示されているように、著者らによれば許容されているとはいえ、このような組成物は、温度を４５℃に維持した後では、スティックの表面に脂肪相の化合物の滲出液膜が存在するため、安定性に欠ける。
【００１０】
それに加えて、これらの組成物は、例えば、スティックの破損を導く剛性、又は組成物自体、及び例えば唇に塗布した、このような組成物を使用した膜の両方に対して、視覚的印象を損なわせる、半透明性若しくは透明性の経時的な喪失という他の欠点も持ち得る。
【００１１】
更に、通常、熱間硬化し、次いで冷却する、これらの組成物の調製を考慮する必要がある。温度変化は、冷却した組成物塊の中での空洞形成、又は該組成物の色変化の原因ともなり、例えば「偏析」過程に関連する均質性の喪失に結びつく恐れがある。
【発明の目的】
【００１２】
本発明は、特に唇のケア又はメーキャップを特別に対象とする組成物を提供することによって、上記の欠点を直すことを目的とする。
【００１３】
本発明は、唇、顔の各部分及び／又は身体の各部分に塗布して保湿することを意図した化粧品又は医薬組成物の提供を目的とする。
【００１４】
本発明の目的は、化粧品又は医薬組成物の調製のための組成物の提供からなる、技術的な問題を解決することでもあり、上記組成物は、特に、口紅のようなスティック、又は特に唇用のバームの形態の場合の、透明で、より良い鮮やかさを持ち、４５℃で安定である、即ちポリマーマトリックスを通した親油性化合物の過剰又は実質的な滲出がない組成物である。
【００１５】
本発明の目的は、特に化粧品業界において、工業規模で使用できる確実で再現性のある方式で技術的問題を解決することでもある。
【発明の説明】
【００１６】
全ての説明及び特許請求の範囲において、特に指定のない限り、百分率は重量基準で示す。
【００１７】
したがって、本発明は、
４０〜８０重量％の少なくとも１種の不揮発性水添ポリアルキレン油、及び
１０〜５０重量％の、以下の式（Ｉ）の、少なくとも１種の第三級アミド末端ポリアミド（ＡＴＰＡ）ポリマー
を含み、
【化１】
0005863262.tif 000002
［式中、
ｎは、式（Ｉ）に存在する単位の数を示す整数であり、ｎは１〜１０、好ましくは１〜５の範囲であってもよく、
Ｒ１基は、同一でも異なっていてもよく、１〜２２個の炭素原子を含有する炭化水素系基を示し、
Ｒ２基は、各出現時に同一でも異なっていてもよく、２〜５４個の炭素原子を含有する炭化水素系基を示すが、但しＲ２基の少なくとも５０％が３０〜４２個の炭素原子を有す。］
更に、少なくとも１つの遊離ヒドロキシル基を含む少なくとも１種の脂肪酸エステル、好ましくはヒドロキシステアリン酸エステル
を含む組成物を対象とする。
【００１８】
本発明による組成物は、有利には、組成物の５〜２０重量％の脂肪酸エステルを含む。
【００１９】
本発明による組成物は、有利には、組成物の１０〜５０重量％、より優先的には１５〜３０重量％のＡＴＰＡポリマーを含む。
【００２０】
更になる特定の実施形態によれば、本発明による組成物は、８〜３０個の炭素原子を含有し、有利には室温で固体である１種又は複数の脂肪アルコールをも含むことができる。
【００２１】
周囲温度で固体である、特に好ましい脂肪アルコールは、セチルアルコールである。
【００２２】
有利な実施形態によれば、本組成物は、前記脂肪アルコールを最大２０重量％、特定すれば１〜２０重量％、更により特定すれば１〜１５重量％含む。
【００２３】
固体の脂肪アルコールの存在によって、触感が改善され、滲出が減少し、弾性が低下するが、これらは、口紅のようなスティックで求められている特性である。固体の脂肪アルコールは、製剤の透明度、鮮やかさを更に改善する。特定の実施形態によれば、１〜５重量％の前記固体脂肪アルコールも使用できる。
【００２４】
本発明による組成物は、有利には実質上、無水である。
【００２５】
「実質上」という用語は、組成物が、完全に無水である、即ち水を含有しない、若しくは水なしである、又はその無水特性に影響を与えないほど僅かな比率（％）の水しか含まないことを意味する。
【００２６】
上記の式（Ｉ）によるＡＴＰＡポリマーは、例えば、整数ｘ当量の式ＨＯＯＣ−Ｒ２−ＣＯＯＨのダイマー酸反応剤、整数ｙ当量の式ＮＨ２−Ｃ２Ｈ４−ＮＨ２で表されるエチレンジアミン、及び整数ｚ当量の式Ｒ１−ＮＨ−Ｒ１の第二級モノアミン反応剤を反応させることによって得られ、ｘ当量、ｙ当量及びｚ当量は、０以外である。
【００２７】
式（Ｉ）に存在する単位の数ｎは、１〜１０、好ましくは１〜５の範囲であってもよい。
【００２８】
本発明の好ましい一形態によれば、ＡＴＰＡポリマーは、ｎが１〜１０の様々な値を取る式（Ｉ）のポリマーのブレンドである。
【００２９】
Ｒ１基は、各出現時に同一でも異なっていてもよく、１〜２２個の炭素原子を含有する炭化水素系基を示す。
【００３０】
Ｒ１基は、好ましくは、４〜２２個の炭素原子、例えば８、１０、１２、１４、１６、１８、２０若しくは２２個の炭素原子を含有するアルキル基又はアルケニル基を示す。
【００３１】
アルキル基、及び１〜３個の不飽和部位、より優先的には１個だけ不飽和部位を有するアルケニルも優先される。
【００３２】
優先的には、１４〜２２個の炭素原子を含有するＲ１基が特に好ましい。
【００３３】
第二級モノアミンＲ１−ＮＨ−Ｒ１（Ｒ１は上で定義した通りである）を本発明のＡＴＰＡポリマーの調製において共反応剤として使用する場合、適したＲ１基が式（Ｉ）の分子に導入される。
【００３４】
市販の第二級モノアミンの中から、例えばＷｉｔｃｏ  Ｃｏｒｐｏｒａｔｉｏｎ（グリニッチ、コネチカット州、ｈｔｔｐ：／／ｗｗｗ．ｗｉｔｃｏ．ｃｏｍ）、Ａｋｚｏ  Ｎｏｂｅｌ  Ｃｈｅｍｉｃａｌｓ，Ｓｕｒｆａｃｅ  Ｃｈｅｍｉｓｔｒｙ（シカゴ、イリノイ州、ｈｔｔｐ：／／ｗｗｗ．ａｋｚｏｎｏｂｅｌｕｓａ．ｃｏｍ）、及びＡｌｄｒｉｃｈ（ミルウォーキー、ウィスコンシン州、ｈｔｔｐ：／／ｗｗｗ．ａｌｄｒｉｃｈ．ｓｉａｌ．ｃｏｍ）等の、さまざまな供給源からのものを挙げ得る。
【００３５】
式Ｃ１８Ｈ３７−ＮＨ−Ｃ１８Ｈ３７の第二級アミン又はジ（Ｃ１４〜Ｈ１８）アルキルアミン混合物が、有利には使用される。
【００３６】
Ｒ２基は、２〜５４個の炭素原子、好ましくは４〜４２個の炭素原子、更により優先的には４〜４２個の炭素原子を含有する炭化水素系基であるが、但しＲ２基の少なくとも５０％が３０〜４２個の炭素原子を有する。
【００３７】
これらの基は、ＨＯＯＣ−Ｒ２−ＣＯＯＨ（Ｒ２は、上で定義した通りである）の式を有するダイマー酸としても知られている重合脂肪酸から、ＡＴＰＡポリマーを調製する際に、導入される。
【００３８】
二酸は、一般に２個のカルボン酸基又は等価の反応基を含有する有機分子である。
【００３９】
優先的には、二酸は、重合脂肪酸である。
【００４０】
重合脂肪酸は、一般に、ダイマーが個別に飽和又は不飽和、環式又は非環式であってもよい構造の混合物である。
【００４１】
脂肪酸の重合についての優れた説明が、特に米国特許第３１５７６８１号の特許及びＮａｖａｌ  Ｓｔｏｒｅｓ−Ｐｒｏｄｕｃｔｉｏｎ  Ｃｈｅｍｉｓｔｒｙ  ａｎｄ  Ｕｔｉｌｉｚａｔｉｏｎ，Ｄ．Ｆ．Ｚｉｎｋｅｌ  ａｎｄ  Ｊ．Ｒｕｓｓｅｌ  （ｅｄｓ）の著作物に示されている。
【００４２】
市販のダイマー酸の中から、例えば、Ｕｎｉｏｎ  Ｃａｒｂｉｄｅ  Ｃｏｒｐｏｒａｔｉｏｎ社（ウェイン、ニュージャージー州）からユニダイム（Ｕｎｙｄｉｍｅ）の商品名で販売されている製品、Ｈｅｎｋｅｌ  Ｃｏｒｐｏｒａｔｉｏｎ社Ｅｍｅｒｙ  Ｏｌｅｏｃｈｅｍｉｃａｌｓ  Ｄｉｖｉｓｉｏｎ（シンシナティ、オハイオ州）からエンポール（Ｅｍｐｏｌ）の商品名で販売されているダイマー酸、Ｕｎｉｃｈｅｍａ  Ｎｏｒｔｈ  Ａｍｅｒｉｃａ社（シカゴ、イリノイ州）からＰｒｉｐｏｌ（プリポール）の商品名で販売されているダイマー酸及びＡｒｉｚｏｎａ  Ｃｈｅｍｉｃａｌ社Ｉｎｔｅｒｎａｔｉｏｎａｌ  Ｐａｐｅｒ  Ｄｉｖｉｓｉｏｎ（パナマシティ、フロリダ州）からシルバダイム（Ｓｙｌｖａｄｙｍ）の商品名で販売されているダイマー酸が挙げられる。
【００４３】
本発明のＡＴＰＡポリマーは、３０〜４２個の炭素原子を含有するＲ２基を少なくとも５０％含有する。
【００４４】
好ましくは、ＡＴＰＡポリマーは、３０〜４２個の炭素原子を含有するＲ２基を少なくとも７５％、更により優先的には少なくとも９０％含有する。
【００４５】
これらのＡＴＰＡポリマーは、３０個未満の炭素原子、例えば４〜１９個の炭素原子、より優先的には４〜８個の炭素原子を有するＲ２基も含んでいてもよい。
【００４６】
各炭素原子は、直線状、分岐状、又は環式形成で配列されていてもよく、２個の炭素原子間に不飽和結合が存在してもよい。Ｒ２は、脂肪族でも芳香族でもよい。これらが存在する場合、炭素数が低いこれらのＲ２基は一般に炭化水素系基である（炭素原子及び水素原子だけで構成される）。
【００４７】
これらの基は、Ｒ２基全体の５０％未満、好ましくはＲ２基全体の５〜３５％を表す。
【００４８】
Ｒ２は、１つ若しくは複数の不飽和結合を含んでいてもよい、又は水素添加されていてもよい。
【００４９】
本発明の特に好ましい一実施形態によれば、−（ＣＯ）−Ｒ２−（ＣＯ）−基は３６個の炭素原子を含有し、更により優先的には、水素添加されている、又は水素添加されていないリノール酸のダイマーの残基である。
【００５０】
有利には、ＡＴＰＡポリマーは、上で定義した式（Ｉ）のポリマーであり、式中、Ｒ１は１４〜２２個、特に１４〜１８個の炭素原子を含有し、ｎは２〜５の範囲でもよい整数であり、Ｒ２は４〜４２個の炭素原子を含有するが、但しＲ２基の少なくとも５０％が３０〜４２個の炭素原子を有し、Ｒ２は飽和である又は１つ若しくは複数の不飽和結合を含む、又は上記ポリマーのブレンドのうちのいずれか１つである。
【００５１】
第１の好ましいＡＴＰＡポリマーは、市販の、表示名称（ＩＮＣＩ名）がビスジＣ１４〜１８アルキルアミド（エチレンジアミン／水添ダイマージリノール酸）コポリマー（Ｅｔｈｙｌｅｎｅｄｉａｍｉｎｅ／Ｈｙｄｒｏｇｅｎａｔｅｄ  Ｄｉｍｅｒ  Ｄｉｌｉｎｏｌｅａｔｅ  Ｃｏｐｏｌｙｍｅｒ  ｂｉｓ−ｄｉ−Ｃ１４−１８Ａｌｋｙｌ  Ａｍｉｄｅ）のコポリマーである。
【００５２】
第２の好ましいＡＴＰＡポリマーは、市販の、表示名称（ＩＮＣＩ名）が（ダイマージリノール酸ビスジオクタデシルアミド／エチレンジアミン）コポリマー（Ｂｉｓ−Ｄｉｏｃｔａｄｅｃｙｌａｍｉｄｅ  Ｄｉｍｅｒ  Ｄｉｌｉｎｏｌｅｉｃ  Ａｃｉｄ／Ｅｔｈｙｌｅｎｅｄｉａｍｉｎｅ  Ｃｏｐｏｌｙｍｅｒ）のコポリマーである。
【００５３】
本発明による組成物は、ＡＴＰＡポリマーのブレンドをも含んでいてもよく、前記ブレンドは、有利には少なくとも１種の好ましいコポリマーを含むことが可能である。
【００５４】
少なくとも１つの遊離ヒドロキシル基を含む脂肪酸エステル（複数可）が、［脂肪酸エステル］／［ＡＴＰＡ］の重量比が１／４〜４／１、優先的には１／３〜３／２の範囲に含まれるようになる量で組成物中に存在する。
【００５５】
脂肪酸エステルは、好ましくはヒドロキシステアリン酸エステルタイプであり、より好ましくはヒドロキシステアリン酸エチルヘキシルである。
【００５６】
水添ポリアルキレン油は、［水添ポリアルキレン］／［ＡＴＰＡ］の重量比が５／１〜３／２、優先的には４／１〜２／１の範囲に含まれるようになる量で組成物中に存在する。
【００５７】
水添ポリアルキレン油は、有利には、水添ポリイソブテンである。
【００５８】
該組成物は、ＡＴＰＡポリマー以外に他の脂肪相構造化剤又はゲル化剤、特に脂肪相に少なくとも部分的に溶解する又は脂肪相中の分散物としてのポリマー又はコポリマーも含んでいてもよい。
【００５９】
このようなゲル化剤又は構造化剤として、例えば、エステル末端ポリアミドコポリマー（ユニクリア（Ｕｎｉｃｌｅａｒ）（登録商標）、Ｕｎｉｏｎ  Ｃａｒｂｉｄｅ）若しくはシリコーンポリアミドなどのポリアミド、又は代替として味の素（Ａｊｉｎｏｍｏｔｏ）から販売されているジブチルラウロイルグルタミドなどのＬ−グルタミド誘導体、又はその混合物、ヒュームドシリカ、又は代替として、例えば市販の水添（スチレン／メチルスチレン／インデン）コポリマーなどの少なくとも１つのスチレン単位を含む水添若しくは非水添コポリマーが挙げられる。
【００６０】
該組成物は、天然又は合成ワックスから選択される１種又は複数のワックスも含むことができる。
【００６１】
好ましい一実施形態によれば、該組成物は、有利には
１５〜５０重量％、特に１５〜３０重量％の、式（Ｉ）のＡＴＰＡポリマー、
４０〜８０重量％の水添ポリアルキレン、
５〜２０重量％のヒドロキシステアリン酸エチルヘキシル、を含み、
０〜２０重量％、特に１〜２０重量％、より特定すれば１〜１５重量％の固体の脂肪アルコール、
０〜５重量％のグルタミド由来のゲル化剤、
０〜１５重量％のスチレンコポリマー、
を含んでもよい。
【００６２】
好ましい一実施形態によれば、該組成物は、有利には以下のものを含む。
１５〜３０重量％、特に１５〜３０重量％の、表示名称（ＩＮＣＩ名）が（ダイマージリノール酸ビスジオクタデシルアミド／エチレンジアミン）コポリマーのＡＴＰＡポリマー、
４０〜８０重量％の水添ポリイソブテン、
５〜２０重量％のヒドロキシステアリン酸エチルヘキシル、を含み、
０〜２０重量％、特に１〜２０重量％、より特定すれば１〜１５重量％のセチルアルコール、
０〜５重量％のジブチルラウロイルグルタミド混合物、
０〜１５重量％の水添（スチレン／メチルスチレン／インデン）コポリマー、
を含んでもよい。
【００６３】
特に好ましい一実施形態によれば、本発明による組成物は半透明又は透明である。
【００６４】
「半透明」という用語は、「光を通すが物体を識別できないもの」を意味する。
【００６５】
「透明」という用語は、「光を通し、物体も識別可能であるもの」を意味する。
【００６６】
本発明の組成物により、上で提示した技術的問題を解決することができる。
【００６７】
しかし、驚くべきことに、また予想に反して、本発明者らは、本発明の主題である組成物が保湿効果を有することも実証した。この予想外の保湿効果の他に、唇又は皮膚に塗布する本発明の組成物を使用した膜は、優れた耐久力を示す。更に、前記組成物の膜を口紅下地として唇に塗布した場合、下地膜の上に塗布した口紅膜は、それが本発明によるものであろうとなかろうと、それ自体が改善された耐久力を示し、膜が移動しない。
【００６８】
したがって、本発明は、リップケア又は唇のメーキャップ向けの化粧品又は医薬組成物の調製に特に適しているが、顔及び／又は例えば脚、腕、背中、腋窩などの身体に対するケア又はメーキャップ向けの任意の化粧品組成物にも関する。
【００６９】
本発明の主題は、特にリップケア又は唇のメーキャップ向けの、上で定義した組成物を最大１００重量％、有利には６０〜１００重量％含む化粧品又は医薬組成物を対象とする。
【００７０】
化粧品組成物は、有利には上で定義した組成物からなる、口紅下地又はケアバーム、特にリップケアバーム、また特に保湿バームの形態であることを特に特徴とする。
【００７１】
「口紅下地」は、口紅膜を塗布する前に唇に膜として直接塗布する組成物である。
【００７２】
口紅下地は、例えば、口紅膜の化合物、特に顔料が移動するのを回避させる又は遅くすることによって口紅膜の耐久力を改善することを特に目的とし、これによりメーキャップの美的効果を長持ちさせることが可能となる。
【００７３】
特に好ましい一実施形態によれば、口紅下地又はリップケアバームは透明であるが、多少着色されていてもよい。
【００７４】
この化粧品組成物は、エモリエンス、保湿及び／又は光沢を既に付けた別のリップ製品上にもたらすために、リップ製品を覆って塗布する上塗りとして使うこともできる。
【００７５】
本発明の別の主題は、少なくとも１種の顔料を含む又は少なくとも１種の顔料からなる着色剤を少なくとも１種含むことを特徴とし、前記着色剤が好ましくは化粧品組成物の最大４０重量％、好ましくは５〜３５重量％で存在する、上で定義した化粧品又は医薬組成物に関する。
【００７６】
有利には粉末又は粉末混合物の形態である着色剤は、より特定すれば、組成物の基剤に不溶性である。
【００７７】
前記着色剤は、有利には、少なくとも１種の顔料、少なくとも１種の充填剤、及び任意のこれらの混合物から選択される粉末の混合物からなる。
【００７８】
顔料は、無機顔料、有機顔料及び真珠光沢顔料から選択できる。
【００７９】
無機顔料の例として、表面処理されてもよい、二酸化チタン（ルチル又はアナターゼ）；黒色、黄色、赤色及び茶色酸化鉄；マンガンバイオレット；群青；酸化クロム；含水酸化クロム及びフェリックブルーが挙げられる。
【００８０】
有機顔料の例として、顔料Ｄ＆ＣレッドＮｏ．１９、Ｄ＆Ｃ  レッドＮｏ．９、Ｄ＆Ｃ
レッドＮｏ．２１、Ｄ＆Ｃ  オレンジＮｏ．４、Ｄ＆Ｃ  オレンジＮｏ．５、Ｄ＆Ｃ  レッドＮｏ．２７、Ｄ＆Ｃ  レッドＮｏ．１３、Ｄ＆Ｃ  レッドＮｏ．７、Ｄ＆Ｃ  レッドＮｏ．６、Ｄ＆Ｃ  イエローＮｏ．５、Ｄ＆Ｃ  レッドＮｏ．３６、Ｄ＆Ｃ  オレンジＮｏ．１０、Ｄ＆Ｃ  イエローＮｏ．６、Ｄ＆Ｃ  レッドＮｏ．３０、Ｄ＆Ｃ  レッドＮｏ．３、カーボンブラック及びコチニールカルミンをベースとしたレーキ類が挙げられる。
【００８１】
真珠光沢顔料は、酸化チタンでコーティングされた雲母、オキシ塩化ビスマスなどの白色真珠光沢顔料；及び酸化鉄でコーティングされたチタン雲母、フェリックブルー又は酸化クロムでコーティングされたチタン雲母、上記タイプの有機顔料でコーティングされたチタン雲母、及びまたオキシ塩化ビスマスをベースとした顔料などの着色真珠光沢顔料から特に選択できる。
【００８２】
充填剤は、タルク、有利には一般にサイズが４０μｍ未満の微粒子の形態であるケイ酸マグネシウム水和物；種々の組成のアルミノケイ酸塩であり、有利にはサイズが２〜２００μｍ、好ましくは５〜７０μｍ、厚さが０．１〜５μｍ、好ましくは０．２〜３μｍのフレーク形態である、天然起源（例えば、白雲母、真珠雲母、バナジン雲母、レピドライト又は黒雲母）又は合成起源の雲母；カオリン、有利には一般にサイズが３０μｍ未満のラメラ微粒子形態であるケイ酸アルミニウム水和物；酸化亜鉛及び酸化チタン；有利にはサイズが１０μｍ未満の微粒子形態である炭酸カルシウム、炭酸マグネシウム及び炭酸水素マグネシウム；シリカ；８〜２２個の炭素原子、好ましくは１２〜１８個の炭素原子を含有する有機カルボン酸由来の金属石鹸、例えばステアリン酸亜鉛、ステアリン酸マグネシウム又はステアリン酸リチウム、ラウリン酸亜鉛、ミリスチン酸マグネシウム；有利にはサイズが１０μｍ未満の微粒子形態であるこれらの石鹸から特に選択される。
【００８３】
ポリエチレン、ポリエステル（例えば、ポリエチレンイソフタレート又はテレフタレート）、及びポリアミド（例えば、ナイロン）などの無発泡の合成ポリマー粉末；球状シリカなどの無機粉末；球状二酸化チタン；ガラスビーズ及びセラミックビーズ；天然起源の有機材料粉末、例えば架橋又は非架橋のトウモロコシ、コムギ又はコメデンプン；球状化した架橋又は非架橋の合成ポリマー粉末、例えばポリ−β−アラニン粉末及びナイロン粉末などのポリアミド粉末、ポリアクリル酸粉末若しくはポリメタクリル酸粉末、ジビニルベンゼン架橋ポリスチレン粉末、シリコーン樹脂粉末及びテフロン粉末を使用することも可能である。
【００８４】
着色剤は、本発明による組成物の最大４０重量％、好ましくは該組成物の５〜３５重量％を構成していてもよい。
【００８５】
上で定義した本発明による組成物は、有利には、保湿剤又は湿潤剤、老化防止剤、抗菌剤、例えば、ファルネソール、イルガサン（５−クロロ−２−（２，４−ジクロロフェノキシ）フェノール）、パラベン、フェノキシエタノール、グリコール、合成若しくは天然アルミニウム塩、４−ヒドロキシ安息香酸、又はその塩若しくはエステル、Ｎ−（４−クロロフェニル）−Ｎ’−（３，４−ジクロロフェニル）尿素、２，４，４’−トリクロロ−２’−ヒドロキシジフェニルエーテル（トリクロサン）、４−クロロ−３，５−ジメチルフェノール、２，２’−メチレン−ビス（６−ブロモ−４−クロロフェノール）、３−メチル−４−（１−メチルエチル）フェノール、２−ベンジル−４−クロロフェノール、３−（４−クロロフェノキシ）プロパン１，２−ジオール、カルバミン酸３−ヨード−２−プロピニルブチル、クロルヘキシジン、３，４，４’−トリクロロカルバニリド（ＴＴＣ）、抗細菌芳香物質、チモール、タイム油、オイゲノール、丁子油、メントール、ハッカ油、モノカプリン酸グリセロール、モノカプリル酸グリセロール、モノラウリン酸グリセロール（ＧＭＬ）、モノカプリン酸ジグリセロール（ＤＭＣ）、例えばサリチル酸ｎ−オクチルアミド若しくはサリチル酸ｎ−デシルアミドなどのサリチル酸−Ｎ−アルキルアミド、又は紫外線から保護するスクリーニング剤から選択される１種又は複数の化粧用又は医薬用活性剤、並びに／又は防腐剤、酸化防止剤、香料、界面活性剤及びレオロジー剤から選択される１種若しくは複数の賦形剤も更に含んでいてもよい。
【００８６】
本発明の一改変形態によれば、上に挙げたこれらの抗菌剤は、脱臭組成物中で防腐剤と組み合わせる。
【００８７】
本発明の別の主題は、上記組成物の調製方法であって、ＡＴＰＡポリマー又はコポリマーを少なくとも１つの遊離ヒドロキシル基を含む脂肪酸エステル、好ましくは一種のヒドロキシステアリン酸エステルタイプのエステル、より好ましくはヒドロキシステアリン酸エチルヘキシル中に分散させるステップを含む方法を対象とする。
【００８８】
本発明の別の主題は、唇及び／又は顔の部分及び／又は身体の部分に対して美容ケア又はメーキャップの効果を得るために、唇及び／又は顔の部分及び／又は身体の部分への、上で定義した又は上記方法によって調製した化粧品組成物の膜の塗布を含むことを特徴とする美容ケア又はメーキャップの方法を対象とする。
【００８９】
前記方法は、保湿膜を得るために、前記化粧品又は医薬組成物の、唇及び／又は顔部分及び／又は身体部分への塗布を含むことも特徴とする。
【００９０】
前記方法の好ましい一改変形態によれば、後者は、メーキャップ効果を得るために、唇に本発明による口紅下地の膜を塗布することからなる第１ステップと、次いで第１膜の上に唇のメーキャップ向け着色組成物の膜を塗布することからなる第２ステップとを含むことを特徴とする。
【００９１】
更に着色組成物は、有利には上で定義した着色組成物である。
【００９２】
本発明のその他の目的、特徴及び利点は、例示するためだけに示され、したがって本発明の範囲を決して限定できないと思われる、実施例に言及する説明的記載を読めば当業者には明らかとなろう。
【００９３】
本実施例は、本発明の不可欠な一部であり、実施例を含め、全体として見た説明に基づいて、任意の従来技術に対して新規と見えるいかなる特徴も、その機能及び一般性に関して本発明の不可欠な一部である。
【００９４】
したがって、各実施例は、一般的範囲を有する。
【００９５】
更に本実施例において、特に指定のない限り、全ての百分率は重量基準であり、特に指定のない限り、温度は摂氏温度で表され、特に指定のない限り、圧力は大気圧である。
【実施例１】
【００９６】
実施例１：口紅下地
以下の配合は、口紅下地として使用できる組成物である。百分率は、最終組成物の重量によって表される。
配合１
Ａ相
ＡＴＰＡポリマー＊                                    ２３．１
ヒドロキシステアリン酸エチルヘキシル                  １１．９
水添ポリイソブテン                                    ６０
Ｂ相
セチルアルコール                                        ５
配合２
Ａ相
ＡＴＰＡポリマー＊                                    ２１．１
ヒドロキシステアリン酸エチルヘキシル                  １０．９
水添ポリイソブテン                                    ５６
Ｂ相
セチルアルコール                                        ２
水添（スチレン／メチルスチレン／インデン）コポリマー  １０
配合３
Ａ相
ＡＴＰＡポリマー＊                                    １６．５
ヒドロキシステアリン酸エチルヘキシル                    ８．５
水添ポリイソブテン                                    ７１
Ｂ相
セチルアルコール                                        ２
ジブチルラウロイルグルタミド                            ２
＊ＡＴＰＡポリマーは、ＩＮＣＩ名が（ダイマージリノール酸ビスジオクタデシルアミド／エチレンジアミン）コポリマーのものである。
【００９７】
配合１〜３の調製方法：
Ａ相の様々な成分を９５℃で撹拌して溶融する（Ｒａｙｎｅｒｉ  ＴｕｒｂｏＴｅｓｔ、３００ｒｐｍ）。
【００９８】
Ｂ相を添加し、混合物を撹拌して溶融させる。
【００９９】
その塊が完全に均質になったら、適した型に注ぎ、放置して冷やす。
【０１００】
これらの組成物は、透明で、４５℃で安定である、即ちポリマーマトリックスを通した親油性化合物の過剰又は実質的な滲出がない。これらの組成物は、口紅の膜を塗布する前に唇に直接塗布する。これらの組成物により、下地上に塗布した口紅の耐久力が改善される。
【０１０１】
更に、下地の半透明又は透明な性質は、表面に塗布した口紅の視覚的印象を損なわない。
【０１０２】
これらの組成物は、リップケアバームとしても使用できる。
【０１０３】
実施例２：透明又は半透明の基剤を含むメーキャップ組成物
以下の組成物は、口紅として使用でき、本発明による組成物を含む。百分率は、最終組成物の重量によって表される。
配合４
Ａ相
ＡＴＰＡポリマー＊                                    １６．５
ヒドロキシステアリン酸エチルヘキシル                    ８．５
水添ポリイソブテン                                    ４７．２
Ｂ相
セチルアルコール                                        ２
水添（スチレン／メチルスチレン／インデン）コポリマー    ５
ジブチルラウロイルグルタミド                            ２
Ｃ相
顔料イエロー６レーキ                                    ３．９
顔料レッド７                                            ２．８
酸化鉄                                                  １．１
レッド６                                                ０．９
二酸化チタン                                            ０．１
水添ポリイソブテン                                    １０
＊ＡＴＰＡポリマーは、ＩＮＣＩ名が（ダイマージリノール酸ビスジオクタデシルアミド／エチレンジアミン）コポリマーのものである。
【０１０４】
組成物の調製方法：
Ａ相の成分を９５℃で撹拌して溶融する（Ｒａｙｎｅｒｉ  ＴｕｒｂｏＴｅｓｔ、３００ｒｐｍ）。
【０１０５】
Ｂ相を添加し、混合物を撹拌して溶融させる。
【０１０６】
Ｃ相の顔料を、水添ポリイソブテンの存在下で粉砕する。次いで、このＣ相を事前に調製した液相に添加する。
【０１０７】
その塊が完全に均質になったら、適した型に注ぎ、冷やす。
【０１０８】
着色組成物は、唇に直接塗布する、又は口紅下地の塗布後に塗布する。どちらの場合も、優れた耐久力を示す。
【０１０９】
実施例３：本発明による組成物の保湿効果の評価
【０１１０】
保湿試験に使用する組成物
以下の配合５による組成物を、実施例１に記載の方法に従って調製する。
配合５
Ａ相
ＡＴＰＡポリマー＊                                    １６．５
ヒドロキシステアリン酸エチルヘキシル                １５．５
水添ポリイソブテン                                    ４６
Ｂ相
９５％セチルアルコール                                  ２
ジ安息香酸プロピレングリコール                        ２０
＊ＡＴＰＡポリマーは、ＩＮＣＩ名が（ダイマージリノール酸ビスジオクタデシルアミド／エチレンジアミン）コポリマーのものである。
【０１１１】
材料及び方法
【０１１２】
測定の原理
皮膚の電気的性質の測定は、皮膚の保湿を評価するための客観的方法である（Ｓｋｉｎ  Ｒｅｓ．Ｔｅｃｈ．１９９７（３）１２６−１３２）。
【０１１３】
水分計コルネオメーター（Ｃｏｒｎｅｏｍｅｔｅｒ）により、皮膚の水分量の変化に関係している電気容量の変化（皮膚の誘電率の変化）を測定できる。２本の電極からなるプローブによって皮膚の表面で電界が作られる。電極／皮膚系の電気容量は、プローブに接触している生体媒質の誘電率の変化に左右される。したがって、この測定は、表皮の上層の保湿状態を表す。
【０１１４】
装置
Ｃｏｕｒａｇｅ  ＆  Ｋｈａｚａｋａ社製ＣＭ８２５水分計コルネオメーター
【０１１５】
測定時刻
塗布前、及び塗布後６時間（残った膜の除去後）。
【０１１６】
塗布方式
前腕上での標準化した塗布（縦３通過、横３通過）。残った膜を吸収紙で「塗布後６時間」の測定前に取り除く。
【０１１７】
統計的方法
Ｓｔａｔｇｒａｐｈｉｃｓ  Ｐｌｕｓ統計ソフトウェアを使用した分散分析（ＡＮＯＶＡ）（リスクα＝５％）。平均変動率（％）を個々全て（ｎ＝１０）にわたって計算する。
【０１１８】
有意性閾値を、処置前に対する変動として、６時間後の保湿値に基づいて計算する。処置前時のｐ＊は、実測値から計算する。
【０１１９】
結果
以下の表１は、測定したデータの平均を基に得た結果を再現したものである。
【表１】
0005863262.tif 000003
【０１２０】
結論
皮膚上で試験した組成物の膜を塗布して６時間後、塗布部位のレベルで、膜の塗布前に測定した保湿度と比べて、皮膚の保湿度において比率が＋４６％の有意な増加が観察されている。
【０１２１】
試験した組成物（配合５）は、非処置対照と比べて、６時間で有意な保湿効果を示している。この驚くべき保湿効果を、例えば保湿バームとしてのリップケア組成物又は付加的な保湿効果を有するメーキャップ組成物に関して利用できる。
【０１２２】
比較例４  口紅組成物基剤
比較配合１基剤
ＡＴＰＡポリマー＊                        １９．８
ヒドロキシステアリン酸エチルヘキシル      １０．２
水添ポリイソブテン                        １０
ポリブテン                                ６０
配合１〜５と異なり、周囲温度で固体の脂肪アルコール、特にセチルアルコールを含有しないこの基剤は、非常に粘着性及び伸縮性の構造を有するため、特に唇のケア向けの口紅又はバームを作るには触感の特徴の満足度がより低い。